(57)【要約】【課題】商用電源を遮断することによって消費電力を抑制する消費電力抑制機能を設けた場合にも、商用電源の遮断動作が安全動作によるものか、消費電力抑制機能によるものかの区別を可能にし、商用電源のオン・オフ制御を好適に行うことのできる給湯装置を提供する。【解決手段】給湯装置本体１と、この給湯装置本体１から電源が供給され、給湯装置本体１を遠隔操作するリモコン装置２とからなる給湯装置であって、給湯装置本体１に対する商用電源ＰＷの供給を許可または阻止するリレー接点ＳＷと、給湯装置本体１および／またはリモコン装置２における異常を検出する本体側マイコン１２とを備え、本体側マイコン１２によって異常が検出されたとき、リレー接点ＳＷを開成動作させて商用電源ＰＷを阻止する。【選択図】  図３
2004190926.tif 000002
【特許請求の範囲】
【請求項１】
給湯装置本体と、この給湯装置本体から電源が供給され、当該給湯装置本体を遠隔操作する遠隔操作装置とからなる給湯装置であって、
前記給湯装置本体に対する元電源の供給を許可または阻止する電源スイッチ手段と、
前記給湯装置本体および／または遠隔操作装置における異常を検出する異常検出手段と、
前記異常検出手段によって異常が検出されたとき、前記電源スイッチ手段を開成動作させて前記元電源を阻止する電源供給制御手段と、を備えたことを特徴とする、給湯装置。
【請求項２】
給湯装置本体と、この給湯装置本体から電源が供給され、当該給湯装置本体を遠隔操作する遠隔操作装置とからなる給湯装置であって、
前記給湯装置本体に対する元電源の供給を許可または阻止する電源スイッチ手段と、
前記給湯装置本体が予め設定された所定の動作条件になると、前記電源スイッチ手段を開成動作させて元電源を阻止し、前記給湯装置本体が前記所定の動作条件以外の動作条件になると、前記電源スイッチ手段を閉成動作させて前記元電源を供給する電源供給制御手段と、
前記給湯装置本体および／または遠隔操作装置における異常を検出する異常検出手段と、
前記異常検出手段によって検出される異常が予め設定された特定の異常である場合、前記給湯装置本体の運転状態を特定モードに移行させる運転制御手段と、
前記運転制御手段によって前記給湯装置本体の運転状態が特定モードに移行されたか否かの情報を記憶する記憶手段と、
前記運転制御手段は、前記電源供給制御手段によって前記給湯装置本体に対する元電源の供給が阻止された後、再度、前記給湯装置本体に対する元電源の供給が許可されたとき、運転状態が特定モードに移行されたか否かの情報を前記記憶手段から読み出し、再度、前記給湯装置本体の運転状態を特定モードに移行させることを特徴とする、給湯装置。
【請求項３】
前記電源供給制御手段によって前記給湯装置本体に元電源が供給されているとき、その元電源に基づいて充電が行われる充電手段と、
前記異常検出手段によって異常が検出され、前記電源供給制御手段によって前記電源スイッチ手段が開成動作されて前記元電源が阻止されたとき、前記充電手段による充電電荷の放電を電源として利用して、異常の検出結果を表示する表示手段とを備える、請求項１または２に記載の給湯装置。
【発明の詳細な説明】
【０００１】
【発明の属する技術分野】
本願発明は、給湯装置本体とリモコン装置とを備える給湯装置に関する。
【０００２】
【従来の技術】
従来、給湯装置としては、一般に給湯装置本体と、それに２芯ケーブル等によって接続されたリモコン装置とを備えて構成されている（たとえば、特許文献１参照。）。
【０００３】
【特許文献１】
特開平２−１４０５０９号公報
【０００４】
給湯装置本体は、給湯を行うためのものであり、給湯用、風呂追い焚き用および温水暖房用等の熱交換器を備える燃焼ユニットと、この燃焼ユニットを制御するマイクロコンピュータ（以下、単に「マイコン」という。）を備える制御部とが設けられている。一方、リモコン装置は、給湯装置本体の給湯運転を遠隔操作するためのものであり、操作スイッチや液晶表示器等を有する操作表示部が備えられている。そして、リモコン装置は、給湯装置本体から２芯ケーブル等の接続線を介して電源が供給され、給湯装置本体ととともに駆動されるようになっている。
【０００５】
ところで、給湯装置が給湯動作を全くしておらず、リモコン装置からも全く操作情報が入力されない状態（いわゆる運転待機状態）が継続する場合は、その状態であっても給湯装置本体およびリモコン装置に搭載されたマイコンや電気回路等によって、ある程度の電力が消費されているため、節電の観点からは、その消費電力を可能な限り抑制することが好ましい。たとえば運転待機状態においては、給湯装置本体に供給される商用電源をスイッチにより遮断して消費電力を抑制するモード（以下、消費電力抑制モードという。）に入り、ユーザによりリモコン装置の運転スイッチが操作されると、給湯装置本体への商用電源の供給を再開して通常の運転動作を行うモード（以下、運転モードという。）に復帰させるようにするとよい。
【０００６】
【発明が解決しようとする課題】
しかしながら、消費電力抑制モードにおいて、給湯装置本体への商用電源の供給を遮断してしまうと、この商用電源の遮断が、運転動作に異常が発生したためによる安全動作として行われたのか、消費電力抑制モードによって行われたのかの区別が付かないという別の問題が生じる。
【０００７】
【発明の開示】
本願発明は、上記した事情のもとで考え出されたものであって、商用電源を遮断することによって消費電力を抑制する消費電力抑制機能を設けた場合にも、商用電源の遮断動作が安全動作によるものか、消費電力抑制機能によるものかの区別を可能にし、商用電源のオン・オフ制御を好適に行うことのできる給湯装置を提供することを、その課題とする。
【０００８】
上記の課題を解決するため、本願発明では、次の技術的手段を講じている。
【０００９】
本願発明の第１の側面に係る給湯装置は、給湯装置本体と、この給湯装置本体から電源が供給され、当該給湯装置本体を遠隔操作する遠隔操作装置とからなる給湯装置であって、前記給湯装置本体に対する元電源の供給を許可または阻止する電源スイッチ手段と、前記給湯装置本体および／または遠隔操作装置における異常を検出する異常検出手段と、前記異常検出手段によって異常が検出されたとき、前記電源スイッチ手段を開成動作させて前記元電源を阻止する電源供給制御手段と、を備えたことを特徴としている。なお、ここで、元電源としては、商用電源や自家発電による電源等が適用される。
【００１０】
この構成によれば、給湯装置本体および／または遠隔操作装置における異常を検出した場合、たとえば電源スイッチ手段を開成動作させて元電源を阻止するので、たとえば、上記異常によってユーザにとって安全面で不適切な運転状態が生じた場合に、元電源の遮断動作が安全動作によるものと認識して、その運転状態を回避することができる。
【００１１】
本願発明の第２の側面に係る給湯装置は、給湯装置本体と、この給湯装置本体から電源が供給され、当該給湯装置本体を遠隔操作する遠隔操作装置とからなる給湯装置であって、前記給湯装置本体に対する元電源の供給を許可または阻止する電源スイッチ手段と、前記給湯装置本体が予め設定された所定の動作条件になると、前記電源スイッチ手段を開成動作させて元電源を阻止し、前記給湯装置本体が前記所定の動作条件以外の動作条件になると、前記電源スイッチ手段を閉成動作させて前記元電源を供給する電源供給制御手段と、前記給湯装置本体および／または遠隔操作装置における異常を検出する異常検出手段と、前記異常検出手段によって検出される異常が予め設定された特定の異常である場合、前記給湯装置本体の運転状態を特定モードに移行させる運転制御手段と、前記運転制御手段によって前記給湯装置本体の運転状態が特定モードに移行されたか否かの情報を記憶する記憶手段と、前記運転制御手段は、前記電源供給制御手段によって前記給湯装置本体に対する元電源の供給が阻止された後、再度、前記給湯装置本体に対する元電源の供給が許可されたとき、運転状態が特定モードに移行されたか否かの情報を前記記憶手段から読み出し、再度、前記給湯装置本体の運転状態を特定モードに移行させることを特徴としている。
【００１２】
この構成によれば、異常検出手段によって検出される異常が特定異常の場合、給湯装置本体の運転状態を特定モードに移行させ、給湯装置本体の運転状態が特定モードに移行されたとき、その旨を記憶しておくとともに、電源スイッチ手段を開成動作させて元電源を阻止して消費電力抑制モードに移行する。そして、消費電力抑制モードに移行した後、再度、給湯装置本体に対する元電源の供給が許可されたとき、記憶されていた、運転状態が特定モードに移行された旨を読み出し、再度、給湯装置本体の運転状態を特定モードに移行させる。
【００１３】
そのため、消費電力抑制モードへの移行前後において、給湯装置本体の運転状態が特定モード（たとえば、コンセントの抜き差しを行わなければ安全動作モードを解除させないようにされた異常が発生しているモード）に移行していることが消失してしまうことがない。したがって、ユーザは、消費電力抑制モードから再度電源を供給するようにした場合でも、給湯装置本体の運転状態が特定モードになっていることを把握することができ、安全性がより向上された給湯装置を提供することができる。
【００１４】
好ましい実施の形態によれば、前記電源供給制御手段によって前記給湯装置本体に元電源が供給されているとき、その元電源に基づいて充電が行われる充電手段と、前記異常検出手段によって異常が検出され、前記電源供給制御手段によって前記電源スイッチ手段が開成動作されて前記元電源が阻止されたとき、前記充電手段による充電電荷の放電を電源として利用して、異常の検出結果を表示する表示手段とを備える。
【００１５】
この発明によれば、異常検出手段によって異常が検出され、電源供給制御手段によって電源スイッチ手段が開成動作されて元電源が阻止されたとき、充電手段による充電電荷が放電されることを利用してその旨を表示するので、ユーザは、異常が検出されたこと、あるいは運転状態が特定モードになっていることを、より確実に把握することができる。
【００１６】
本願発明のその他の特徴および利点は、添付図面を参照して以下に行う詳細な説明によって、より明らかとなろう。
【００１７】
【発明の実施の形態】
以下、本願発明の好ましい実施の形態を、添付図面を参照して具体的に説明する。
【００１８】
図１は、本願発明に係る給湯装置を示す概略構成図である。この給湯装置は、給湯装置本体１と、これに２芯ケーブル３を介して接続されたリモコン装置２とによって構成されている。なお、リモコン装置２は、複数設けられていてもよい。
【００１９】
給湯装置本体１は、たとえば住宅の屋外に設置され、給湯用、風呂追い焚き用、または温水暖房用の熱交換器、各種燃焼器、および各種バルブ等（いずれも図示せず）を含む燃焼ユニット１０と、給湯装置本体１の全体動作を制御する制御部１１とを備えている。
【００２０】
制御部１１は、たとえば電子部品が搭載された１枚のプリント基板によって構成され、マイクロコンピュータ１２（以下、「本体側マイコン１２」という）、ＥＥＰＲＯＭ１３、および通信部１４等を有している。本体側マイコン１２は、給湯装置本体１の制御中枢となるものであり、図示しないＲＯＭに記憶されている運転実行プログラム、あるいはリモコン装置２や図示しない暖房用機器等から送られる操作信号等に基づいて、各種燃焼器の燃焼状態や各種バルブの開閉状態を制御する。
【００２１】
ＥＥＰＲＯＭ１３は、各種のデータを必要に応じて記憶するものである。
【００２２】
通信部１４は、リモコン装置２との通信を行うためのものであり、所定の変復調方式に基づいた変復調回路によって構成されている。給湯装置本体１からリモコン装置２に対しては、２芯ケーブル３を介して電源供給（たとえばＤＣ１５Ｖ）がされており、上記通信部１４において変調されたデータ信号は、電源電圧に重畳され、この２芯ケーブル３を介してリモコン装置２に伝達される。また、リモコン装置２から上記２芯ケーブル３を介して伝達された操作信号としてのデータ信号は、上記通信部１４において復調され、本体側マイコン１２に送られる。
【００２３】
一方、リモコン装置２は、台所および風呂場等の屋内に設置され、給湯装置本体１を遠隔操作するものである。リモコン装置２は、マイクロコンピュータ１５（以下、「リモコン側マイコン１５」という）、および通信部１６等を有している。
【００２４】
たとえば台所に設置されるリモコン装置２は、図２に示すように、本体ケース２Ａの表面に運転スイッチ２１ａを含む各種の操作スイッチからなる操作部２１、表示部２２およびスピーカ２３が設けられている。操作部２１の各操作スイッチは、ユーザによって給湯運転や暖房運転等を行うために操作されるものである。表示部２２は、たとえば多数の蛍光体をドットマトリクス状に配置した蛍光管や液晶ディスプレイ等からなる。
【００２５】
リモコン側マイコン１５は、リモコン装置２の制御中枢となるものであり、図示しないＲＯＭに記憶されている運転実行プログラム、あるいは操作部２１の操作内容に基づいて、各部の動作制御やデータ処理を実行し、表示部２２にたとえば給湯温度、風呂湯温の設定温度、およびバーナの点火状況等を必要に応じて表示したり、スピーカ２３から音声を出力したりする。
【００２６】
通信部１６は、給湯装置本体１との通信を行うためのものであり、所定の変復調方式に基づいた変復調回路によって構成されている。
【００２７】
ここで、本実施形態に係る給湯装置本体１は、たとえば給湯動作もリモコン装置２からの操作情報も入力されない状態が所定時間以上継続すると、通常の運転モードから消費電力抑制モードに自動的に移行する機能を備えている。消費電力抑制モードとは、後述するように商用電源を遮断して電力消費を抑制するモードである。
【００２８】
また、通常、給湯装置本体１においては、運転に関する何らかのエラーが生じたときには、本体側マイコン１２が、各熱交換器、各種燃焼器、および各種バルブ等（いずれも図示略）を含む燃焼ユニット１０等の動作を停止させるようになっている（このような動作を「安全動作」という）。しかしながら、給湯装置本体１では、コンセントからの商用電源ＰＷを遮断することができないため、本体側マイコン１２では制御できない動作、たとえばバルブ駆動用のリレーがオン動作を継続していたり、リモコン装置２側の電装の線がみが生じている場合には、それによって燃焼ユニット１０の動作が停止できなかったり、あるいは漏電したりするといった安全面に不備がある状態が生じることがある。
【００２９】
そこで、本実施形態では、かかる不具合を解消するため、装置内で運転に関する何らかのエラーが生じたときには、上述した消費電力抑制モードにおける商用電源ＰＷの遮断機能を利用して、強制的に給湯装置本体１に対する電源供給を遮断するようにしている。
【００３０】
次に、給湯装置本体１およびリモコン装置２の電源系統における回路構成について説明する。
【００３１】
図３は、給湯装置本体１およびリモコン装置２の電源系統における回路構成の第１実施形態を示す図である。
【００３２】
同図において、給湯装置本体１の端子ａ１，ａ２は、電源ケーブルＣを介してコンセント（図示略）等に接続され、これにより、給湯装置本体１に商用電源ＰＷ（たとえばＡＣ１００Ｖ）が供給される。なお、商用電源ＰＷに代えて、自家発電による電源が採用されてもよい。給湯装置本体１内において、端子ａ１，ａ２は、電源線ＣＣに接続され、ヒューズＦＵおよびリレー接点ＳＷを介してレギュレータＲＧに接続されている。リレー接点ＳＷは、給湯装置本体１に対する商用電源ＰＷの供給を許可または阻止するためのものであり、後述するリレーコイルＲＹによってオン、オフ動作される。すなわち、リレー接点ＳＷは、消費電力抑制モードにおいては、商用電源ＰＷの供給を阻止して電力消費を抑制する機能を果たす。
【００３３】
レギュレータＲＧによって電圧が供給される電圧端子（ＤＣ１５Ｖ）には、ダイオードＤ２を介して充電用コンデンサＣ１の正極側が接続されている。充電用コンデンサＣ１の負極側は、グランドに接地されている。また、電圧端子（ＤＣ１５Ｖ）には、充電用コンデンサＣ１の充電電荷の放電によりリモコン装置２側に流れる電流を検知するための電流検知回路３１が接続されている。電流検知回路３１は、コイルＬ１を介して端子ｂ１に接続されている。また、電流検知回路３１の出力端は、自己保持回路３２に接続されている。
【００３４】
電流検知回路３１は、電圧端子（ＤＣ１５Ｖ）、ダイオードＤ２、コイルＬ１および端子ｂ１を通じて流れる電流を検知するためのものである。詳細には、消費電力抑制モードにおいて、充電用コンデンサＣ１に蓄えられていた充電電荷が放電されるときに流れる電流を検知する。すなわち、電流検知回路３１は、消費電力抑制モードにおいて、たとえば電源スイッチ２１ａが押下されれば、充電用コンデンサＣ１から電流検知回路３１、コイルＬ１、２芯ケーブル３、ブリッジダイオードＢＤ、コイルＬ２、抵抗Ｒ１および抵抗Ｒ２に至る放電経路が形成され、この放電経路を電流が流れるので、その電流を検知する。
【００３５】
電流検知回路３１には、充電用コンデンサＣ１の充電電荷量が所定の電荷量に低下したことを電圧が所定値に低下したことにより検出する検出回路も設けられており、電流検知回路３１は、充電用コンデンサＣ１の充電電荷の放電を検知した信号と充電用コンデンサＣ１の電圧低下を検出した信号とを自己保持回路３２に出力する。なお、電流検知回路３１によって、充電用コンデンサＣ１に蓄えられていた充電電荷量を検知するのは、消費電力抑制モードにおいて、充電用コンデンサＣ１に蓄えられた電荷量が低下しすぎると、たとえばリモコン装置２の電源スイッチ２１ａが押し下げられたときに、通常の運転モードに復帰させることができなくなるため、かかる不都合を解消するためである。
【００３６】
また、自己保持回路３２は、電流検知回路３１の出力信号もしくは本体側マイコン１２からの制御信号に基づいて、後述するリレーコイルＲＹを駆動させるための信号を出力するためのものである。自己保持回路３２は、抵抗Ｒ６を介してスイッチングトランジスタＱ２のベース端子に接続されている。スイッチングトランジスタＱ２のコレクタ端子は、抵抗Ｒ７を介してリレーコイルＲＹの負極側に接続されている。スイッチングトランジスタＱ２のエミッタ端子は、グランドに接地されている。リレーコイルＲＹの正極側は、ダイオードＤ２のカソード端子に接続され、リレーコイルＲＹの正極側には、電圧端子（ＤＣ１５Ｖ）によってダイオードＤ２を介して動作電圧が与えられる。
【００３７】
自己保持回路３２の出力信号が出力されると、スイッチングトランジスタＱ２がオンし、これにより正極側に電圧端子（ＤＣ１５Ｖ）の動作電圧が与えられていたリレーコイルＲＹが駆動されることになる。
【００３８】
自己保持回路３２は、電流検知回路３１から充電用コンデンサＣ１の充電電荷の放電（リモコン装置２の運転スイッチ２１ａの操作に基づく充電電荷の放電）を検知した信号が入力されると、上述したスイッチングトランジスタＱ２をオンさせて、リレーコイルＲＹを駆動させるとともにリレー接点ＳＷをオンさせる。これにより給湯装置本体１に商用電源ＰＷが供給され、給湯装置本体１は消費電力抑制モードから通常の運転モードに復帰する。
【００３９】
また、自己保持回路３２は、電流検知回路３１から充電用コンデンサＣ１の電圧低下を検知した信号が入力されると、スイッチングトランジスタＱ２をオンさせて、リレーコイルＲＹを駆動させるとともにリレー接点ＳＷをオンさせる。これにより給湯装置本体１に商用電源ＰＷが供給され、レギュレータＲＧが起動して、充電用コンデンサＣ１にダイオードＤ２を介して駆動電圧（ＤＣ１５Ｖ）が印加されるため、充電用コンデンサＣ１は充電されることになる。
【００４０】
また、自己保持回路３２は、本体側マイコン１２にも接続されている。本体側マイコン１２は、自己保持回路３２に制御信号を入力して強制的に通常の運転モードから消費電力抑制モードに移行させる。すなわち、自己保持回路３２に対してスイッチングトランジスタＱ２への出力信号が出力されている場合、すなわち、リレーコイルＲＹが駆動され（リレー接点ＳＷがオン）、給湯装置本体１に商用電源ＰＷが供給されている場合、本体側マイコン１２は、自己保持回路３２に対してスイッチングトランジスタＱ２への出力を禁止させるための禁止信号（制御信号）を出力する。この禁止信号によりスイッチングトランジスタＱ２はオフし、リレーコイルＲＹに電流が流れなくなり（リレー接点ＳＷがオフ）、給湯装置本体１に対する商用電源ＰＷの供給が阻止される。
【００４１】
次に、リモコン装置２の電源系統における回路構成について説明する。リモコン装置２は、給湯装置本体１と繋ぐための２芯ケーブル３が接続される端子ｃ１，ｃ２を有している。端子ｃ１，ｃ２は、給湯装置本体１からの電圧を整流するためのブリッジダイオードＢＤに接続され、ブリッジダイオードＢＤは、コイルＬ２、運転スイッチ２１ａ（図２参照）、および抵抗Ｒ１，Ｒ２による閉回路に接続されている。
【００４２】
また、コイルＬ２は、ＰＮＰ型のスイッチングトランジスタＱ１のエミッタ端子に接続されている。スイッチングトランジスタＱ１のベース端子には、ツェナーダイオードＺＤのカソード端子が接続されている。スイッチングトランジスタＱ１のコレクタ端子とツェナーダイオードＺＤのアノード端子との間には、負荷７が接続されており、この場合、負荷７としては表示部２２等が挙げられる。ツェナーダイオードＺＤのアノード端子は、グランドに接地されている。また、抵抗Ｒ１，Ｒ２の間には、抵抗Ｒ４を介してリモコン側マイコン１５が接続されている。なお、リモコン側マイコン１５は、スイッチングトランジスタＱ１のコレクタ端子側に備えられた図示しないレギュレータから電源が供給される。
【００４３】
次に、上記の構成における作用について説明する。
【００４４】
まず、通常の運転モードから運転スイッチ２１ａによる操作によって消費電力抑制モードに移行する場合を説明すると、通常の運転モードにおいて、リモコン装置２の運転スイッチ２１ａが押下されると（運転オフ）、リモコン側マイコン１５は、その旨の信号を、通信部１６、２芯ケーブル３および給湯装置本体１の通信部１４を介して本体側マイコン１２に送る。本体側マイコン１２は、自己保持回路３２に対してスイッチングトランジスタＱ２への出力を禁止させるための禁止信号（制御信号）を出力する。この禁止信号によりスイッチングトランジスタＱ２はオフし、リレーコイルＲＹに電流が流れなくなり（リレー接点ＳＷがオフ）、給湯装置本体１に対する商用電源ＰＷの供給が阻止される。
【００４５】
そのため、給湯装置本体１には、電源電圧が供給されなくなり、本体側マイコン１２等の動作が停止する。また、リモコン装置２にも電源電圧が供給されなくなり、リモコン側マイコン１５等の動作も停止する。すなわち、上記状態では、給湯装置本体１およびリモコン装置２には、電源電圧が供給されていないことになり、消費電力を抑制することができる。しかしながら、充電用コンデンサＣ１には、運転動作中に、ダイオードＤ２を介して所定電圧（たとえばＤＣ１４．４Ｖ）が供給されて充電が行われている。
【００４６】
消費電力抑制モードにおいて、ユーザにより運転スイッチ２１ａが押し下げられると、電流検知回路３１、コイルＬ１、ブリッジダイオードＢＤ、コイルＬ２、抵抗Ｒ１，Ｒ２によって充電用コンデンサＣ１に蓄えられていた電荷の放電経路が構成され、この放電経路で充電用コンデンサＣ１の充電電荷が放電されると、電流検知回路３１からその放電を検知した信号が自己保持回路３２に入力される。自己保持回路３２は、この検知信号を受けてスイッチングトランジスタＱ２をオンさせて、リレーコイルＲＹを駆動させるとともにリレー接点ＳＷをオンさせる。これにより給湯装置本体１に商用電源ＰＷが供給され、給湯装置本体１は消費電力抑制モードから通常の運転モードに復帰する。
【００４７】
次に、給湯装置に異常が発生したときに安全動作（商用電源ＰＷを遮断する動作）に移行する場合の処理について説明する。
【００４８】
本体側マイコン１２は、運転に関するエラーを検知した場合、燃焼ユニット１０等の動作を停止させる。また、本体側マイコン１２は、リモコン側マイコン１５に運転に関するエラーを検出した旨を伝達する。リモコン側マイコン１５では、それに応じて、運転に関するエラーが発生した旨を表示部２２に表示する。
【００４９】
次いで、本体側マイコン１２は、運転動作上のエラーが生じたことを履歴情報としてＥＥＰＲＯＭ１３に記憶させる。その後、本体側マイコン１２は、自己保持回路３２に対して保持状態を禁止させる禁止信号を出力する。これにより、自己保持回路３２は、スイッチングトランジスタＱ２をオフさせ、リレーコイルＲＹに電流を流さないようにすることにより、リレー接点ＳＷをオフさせる。その結果、給湯装置本体１には商用電源ＰＷが供給されなくなり、本体側マイコン１２およびその他の回路の動作が停止し、消費電力抑制モードに移行して実質的に安全動作に相当する処理が実現される。
【００５０】
このように、給湯装置本体１等において運転に関するエラーを検出した場合、リレー接点ＳＷをオフにして商用電源ＰＷの供給を阻止するので、たとえば、上記エラーによってユーザにとって安全面で不適切な運転状態が生じた場合に、その運転状態を回避することができる。
【００５１】
なお、このとき、給湯装置本体１には、電源供給がされなくなるが、リモコン装置２においては、充電用コンデンサＣ１に蓄えられていた充電電荷が放電されることを利用して、表示部２２（負荷７）に電源を供給するようにし、エラー表示を継続して行うようにしてもよい。これにより、ユーザは、エラーが検出されたことを、より確実に把握することができる。
【００５２】
図４は、図３に示す給湯装置本体１の電源系統における回路構成と同機能を有する、より具体的な回路構成を示す図である。以下、図３の給湯装置本体１と異なる部分について説明する。
【００５３】
電源線ＣＣの他方の線には、抵抗Ｒ１１を介して整流用ダイオードＤ１１が接続され、さらにこの整流用ダイオードＤ１１には、平滑用コンデンサＣ１１が接続されている。整流用ダイオードＤ１１および平滑用コンデンサＣ１１は、リレーコイルＲＹ、スイッチングトランジスタＱ１１等の能動素子のための駆動電源（直流電源）を生成する回路である。
【００５４】
整流用ダイオードＤ１１のカソード端子には、上記リレー接点ＳＷをオン、オフ動作させるためのリレーコイルＲＹの正極側が接続されている。また、リレーコイルＲＹの負極側は、抵抗Ｒ１２を介してサイリスタＳのアノード側に接続されている。サイリスタＳは、リレーコイルＲＹへの通電を制御するスイッチ素子であり、抵抗Ｒ１２は、サイリスタＳに流れる電流を制限する抵抗である。
【００５５】
また、リレーコイルＲＹの正極側には、抵抗Ｒ１３を介してＰＮＰ型のスイッチングトランジスタＱ１１のエミッタ端子が接続されており、このスイッチングトランジスタＱ１１のコレクタ端子には、サイリスタＳのゲート端子が接続されている。スイッチングトランジスタＱ１１のコレクタ端子およびサイリスタＳのカソード端子間には、抵抗Ｒ１４と、コンデンサＣ１２とが並列に接続されている。また、サイリスタＳのカソード端子は、一次側グランドに接地されている。スイッチングトランジスタＱ１１はサイリスタＳのオン動作を制御するものであり、スイッチングトランジスタＱ１１がオンになると、サイリスタＳのゲート端子に駆動電圧が印加され、サイリスタＳはオンになる。すなわち、リレーコイルＲＹに通電され、リレー接点ＳＷがオン（商用電源ＰＷの供給状態）になる。
【００５６】
サイリスタＳのアノード端子およびカソード端子間は、フォトカプラＰＣ１３のフォトトランジスタに接続されている。フォトカプラＰＣ１３のフォトダイオードのアノード端子側は、本体側マイコン１２に接続され、フォトダイオードのカソード端子側は、二次側グランドに接地されている。
【００５７】
なお、フォトカプラＰＣ１３は、本体側マイコン１２からの制御信号によりサイリスタＳをオフするスイッチ素子である。すなわち、本体側マイコン１２によりフォトカプラＰＣ１３が一時的にオンになると、サイリスタＳの両端が短絡されて電流が流れなくなり、サイリスタＳはオフになる。これにより、リレーコイルＲＹの通電が遮断され、リレー接点ＳＷはオフ（商用電源ＰＷの遮断状態）になる。
【００５８】
また、フォトカプラＰＣ１２は、後述する充電用コンデンサＣ１４（リモコン装置２の運転スイッチ２１ａの操作により消費電力抑制モードを運転モードに復帰可能にするために、当該リモコン装置２にバックアップ電源を供給するコンデンサ）の充電電圧が所定の電圧以下に低下したとき、その検出信号（後述する）により当該コンデンサＣ１４を充電するべくサイリスタＳをオンするスイッチ素子である。
【００５９】
充電用コンデンサＣ１４の電圧低下の検出信号によりフォトカプラＰＣ１２がオンになると、スイッチングトランジスタＱ１１がオンになり、サイリスタＳのゲート端子に駆動電圧が印加されてサイリスタＳはオンになる。これにより、リレーコイルＲＹに通電され、リレー接点ＳＷがオン（商用電源ＰＷの供給状態）になる。商用電源ＰＷが通電されると、レギュレータＲＧが起動し、当該レギュレータＲＧから給湯装置本体１内の回路とリモコン装置２内の回路に対する駆動電源（所定電圧の直流電源）が供給されるため、その電源により充電用コンデンサＣ１４は充電される。
【００６０】
また、フォトカプラＰＣ１１は、消費電力抑制モードにおいてリモコン装置２の運転スイッチ２１ａが操作されたとき、その操作信号により消費電力抑制モードを運転モードに復帰させるためにサイリスタＳをオンするスイッチ素子である。
【００６１】
運転スイッチ２１ａの操作信号によりフォトカプラＰＣ１１がオンになると、スイッチングトランジスタＱ１１がオンになり、サイリスタＳのゲート端子に駆動電圧が印加されてサイリスタＳはオンになる。これにより、リレーコイルＲＹに通電され、リレー接点ＳＷがオンになる。商用電源ＰＷが通電されると、レギュレータＲＧが起動し、給湯装置本体１は消費電力抑制モードから通常の運転モードに復帰する。
【００６２】
スイッチングトランジスタＱ１１のエミッタ端子、ベース端子間には、抵抗Ｒ１５が接続され、そのベース端子にはダイオードＤ１５のアノード端子が接続され、そのカソード端子が抵抗Ｒ１６の一端に接続されている。抵抗Ｒ１６の他端には、電解コンデンサＣ１３の正極側が接続されている。電解コンデンサＣ１３の負極側は、一次側グランドに接地されている。
【００６３】
電解コンデンサＣ１３には、並列に抵抗Ｒ１７が接続され、電解コンデンサＣ１３の両端には、正極側に抵抗Ｒ１８を介して、フォトカプラＰＣ１１のフォトトランジスタと、フォトカプラＰＣ１２のフォトトランジスタとがそれぞれ接続されている。
【００６４】
ここで、電解コンデンサＣ１３は、たとえば電源ケーブルＣがコンセント等に接続され、商用電源ＰＷが供給されるときのサイリスタＳのオン、オフ動作の状態を間接的に規定するものである。すなわち、上記のようにコンセント等に接続され、商用電源ＰＷが供給されると、サイリスタＳがオンするのに十分なだけの期間、電解コンデンサＣ１３に電流が流れる。そして、スイッチングトランジスタＱ１１がオンになり、サイリスタＳのゲート端子に駆動電圧が印加されて、サイリスタＳがオンした後は、スイッチングトランジスタＱ１１はオフとなる。この構成により、フォトカプラＰＣ１３によるサイリスタＳのオフが可能になる。
【００６５】
また、抵抗Ｒ１７の一端には、電界効果トランジスタＦＥＴ１のドレイン端子が接続されている。電界効果トランジスタＦＥＴ１のソース端子は、一次側グランドに接地されている。電界効果トランジスタＦＥＴ１のゲート端子は、電解コンデンサＣ１３に対して並列に接続された抵抗Ｒ３５，Ｒ３６の中点に接続されているとともに、電界効果トランジスタＦＥＴ２のドレイン端子に接続されている。電界効果トランジスタＦＥＴ１のゲート端子と一次側グランドとの間には、コンデンサＣ１５が介在されている。電界効果トランジスタＦＥＴ２のソース端子は、一次側グランドに接地され、そのゲート端子は、抵抗Ｒ３７の一端に接続され、抵抗Ｒ３７の他端は、一次側グランドに接地されている。また、電界効果トランジスタＦＥＴ２のゲート端子は、抵抗Ｒ３８を介してスイッチングトランジスタＱ１１のベース端子に接続されている。
【００６６】
この回路構成によると、電源ケーブルＣがコンセント等に接続されているときは、電界効果トランジスタＦＥＴ２はオン状態となる一方、電界効果トランジスタＦＥＴ１はオフ状態となる。逆に、電源ケーブルＣがコンセント等から抜かれているときは、電界効果トランジスタＦＥＴ２はオフ状態となり、その状態で、電解コンデンサＣ１３に所定量の電荷が残っているときは、電界効果トランジスタＦＥＴ１はオン状態となり、電解コンデンサＣ１３の電荷を放電する。なお、上記回路において、電界効果トランジスタＦＥＴ１のゲート端子における電位を決定するための抵抗Ｒ３５および抵抗Ｒ３６の値は、抵抗Ｒ１７の値より大きくなるように設定することが可能であるため、電源コンセント接続中の消費電力をさらに削減することができる。
【００６７】
フォトカプラＰＣ１１のフォトダイオードの両端には、抵抗Ｒ１９が接続され、フォトダイオードのアノード端子側には、抵抗Ｒ２０を介してＰＮＰ型のスイッチングトランジスタＱ１２のコレクタ端子が接続されている。スイッチングトランジスタＱ１２は、消費電力抑制モードにおいてリモコン装置２の運転スイッチ２１ａが操作されると、その操作信号によりオンになり、充電用コンデンサＣ１４から電源を供給してフォトカプラＰＣ１１をオンさせるものである。スイッチングトランジスタＱ１２のエミッタ端子、ベース端子間には、抵抗Ｒ２１が接続され、スイッチングトランジスタＱ１２のベース端子には、抵抗Ｒ２２、逆電流防止用のダイオードＤ１２、およびコイルＬ１１が直列に接続されている。
【００６８】
ダイオードＤ１２のカソード端子には、電圧端子（たとえばＤＣ１５Ｖ）にアノード側が接続された逆電流防止用のダイオードＤ１３が接続されている。このＤＣ１５Ｖは、リモコン装置２に与えられる電圧である。コイルＬ１１の下流側は、リモコン装置２に接続するための一方の端子ｂ１に接続され、他方の端子ｂ２は、二次側グランドに接地されている。
【００６９】
フォトカプラＰＣ１２のフォトダイオードの両端には、抵抗Ｒ２３が接続され、フォトダイオードのアノード端子側は、抵抗Ｒ２４を介してリセットＩＣ２４の入力端子２４ａに接続されている。
【００７０】
ここで、リセットＩＣ２４は、後述する充電用コンデンサＣ１４の充電量を検出するものであり、充電用コンデンサＣ１４の充電量が所定電圧以下になれば、「ＬＯＷ」信号を出力端子２４ｂから出力する。リセットＩＣ２４の出力端は、フォトカプラＰＣ１２のフォトダイオードのカソード端子に接続されている。
【００７１】
また、リセットＩＣ２４の入力端子２４ａには、充電用コンデンサＣ１４の正極側が接続されている。
【００７２】
ここで、充電用コンデンサＣ１４は、たとえば最大１Ｆ（ファラッド）の電荷を蓄えるための充電機能を有する素子（スーパキャパシタンスともいう）である。なお、この充電用コンデンサＣ１４に代えて、汎用の充電池等が用いられてもよい。
【００７３】
充電用コンデンサＣ１４の負極側は、二次側グランドに接地されている。また、充電用コンデンサＣ１４の正極側は、抵抗Ｒ２５およびダイオードＤ１４を介してたとえばＤＣ５Ｖが供給されている。なお、リレー接点ＳＷがオンのときには、レギュレータＲＧの出力（たとえばＤＣ１５Ｖ）をもとに、図示しない他のレギュレータによって上記ＤＣ５Ｖが生成される。充電用コンデンサＣ１４には、抵抗Ｒ２５およびダイオードＤ１４を介してＤＣ５Ｖが供給されるので、充電用コンデンサＣ１４の両端は、たとえばＤＣ４．４Ｖである。
【００７４】
次に、上記の構成における作用について簡単に説明する。
【００７５】
まず、通常の運転モードから運転スイッチ２１ａによる操作によって消費電力抑制モードに移行する場合を説明すると、リモコン装置２において運転スイッチ２１ａが押下されると、リモコン側マイコン１５は、本体側マイコン１２にその旨を送信する。本体側マイコン１２は、フォトカプラＰＣ１３を所定期間オンさせ、サイリスタＳに流れる電流を阻止させる。これにより、リレーコイルＲＹには、電流が流れなくなり、リレー接点ＳＷがオンからオフになり、商用電源ＰＷの供給を遮断する。すなわち、消費電力抑制モードに移行すると、レギュレータＲＧ自体の電力消費がゼロになり、消費電力の削減を図ることができる。ただし、充電用コンデンサＣ１４には、運転動作中に、ダイオードＤ１４等を介してＤＣ５Ｖが供給されて充電が行われている。
【００７６】
次いで、消費電力抑制モードから通常の運転モードに移行される場合を説明すると、運転動作を開始するために、ユーザの操作によってリモコン装置２の運転スイッチ２１ａが押下された場合、充電用コンデンサＣ１４に蓄えられていた電荷は、スイッチングトランジスタＱ１２、抵抗Ｒ２２、ダイオードＤ１２、コイルＬ１１、ブリッジダイオードＢＤ、コイルＬ２等を通じて運転スイッチ２１ａに電流が流れる。これにより、オン動作されたスイッチングトランジスタＱ１２によってフォトカプラＰＣ１１がオンする。
【００７７】
その結果、コンデンサＣ１３に電流が流れるとともに、スイッチングトランジスタＱ１１がオンし、サイリスタＳのゲート端子に電圧が印加され、リレーコイルＲＹに電流が流れることにより、リレー接点ＳＷがオンする。そのため、商用電源ＰＷが給湯装置本体１に供給されることになり、消費電力抑制モードから通常の運転モードに移行される。
【００７８】
また、給湯装置に異常が発生したときに安全動作（商用電源ＰＷを遮断する動作）に移行する場合の処理では、本体側マイコン１２は、運転に関するエラーを検知した場合、燃焼ユニット１０等の動作を停止させ、運転動作上のエラーが生じたことを履歴情報としてＥＥＰＲＯＭ１３に記憶させる。その後、本体側マイコン１２は、フォトカプラＰＣ３を介してサイリスタＳをオフさせ、リレーコイルＲＹに電流を流さないようにすることにより、リレー接点ＳＷをオフさせる。その結果、給湯装置本体１には商用電源ＰＷが供給されなくなり、本体側マイコン１２およびその他の回路の動作が停止し、消費電力抑制モードに移行して実質的に安全動作に相当する処理が実現される。したがって、たとえばユーザにとって安全面で不適切な運転状態が生じた場合に、その運転状態を回避することができる。
【００７９】
ところで、一般の給湯装置においては、元電磁弁（ガス弁）、水量センサ、およびフレームロッド等（いずれも図示せず）の状態を、本体側マイコン１２が暴走した場合でも負荷７が安全に制御されるように、本体側マイコン１２以外に設けられたフェイルセーフ回路によって監視させている。また、元電磁弁には、それに対する電源供給を遮断するためのコモンリレー（図示略）が設けられている。そして上記元電磁弁等の動作において安全ではない状態が一定時間継続したときに、上記フェイルセーフ回路は、それを検知し上記コモンリレーを動作させて元電磁弁への電源供給を遮断するようにしている。
【００８０】
しかしながら、上記したような消費電力抑制モードが実行可能な給湯装置において、商用電源ＰＷの供給を遮断することのできるリレー接点ＳＷが設けられている場合、リレー接点ＳＷがオフすれば、給湯装置本体１には電源電圧が供給されなくなり、すなわち、元電磁弁に対する電源供給を遮断するためのコモンリレーの動作も不可能となる。
【００８１】
そこで、異常が生じた場合にフェイルセーフ回路により自動的に安全動作に移行する構成を有する給湯装置において、元電磁弁に対する電源供給を遮断するためのコモンリレーを、消費電力抑制モードに移行するためのリレー接点ＳＷで代用し、フェイルセーフ回路によりこのリレー接点ＳＷのオン・オフ制御を行わせるようにしてもよい。
【００８２】
図５は、給湯装置本体１およびリモコン装置２の電源系統における回路構成の第２実施形態を示す図である。同図は、給湯装置本体１にフェイルセーフ回路３３が設けられ、このフェイルセーフ回路３３によりこのリレー接点ＳＷのオン・オフ制御を行わせるようにしたもので、図３において、給湯装置本体１に抵抗Ｒ８、スイッチングトランジスタＱ３およびフェイルセーフ回路３３からなる回路を設けたものである。
【００８３】
すなわち、自己保持回路３２の出力端にスイッチングトランジスタＱ３のコレクタ端子を接続するとともに、エミッタ端子をグランドに接地し、スイッチングトランジスタＱ３のベース端子に抵抗Ｒ８を介してフェイルセーフ回路３３の出力端を接続したものである。
【００８４】
フェイルセーフ回路３３は、元電磁弁等の動作において安全ではない状態が一定時間継続したときに外部に信号を出力する回路である。ここで、フェイルセーフ回路３３において判別される、元電磁弁等の動作が安全ではない状態とは、たとえば、元電磁弁がオンでありかつフレームロッドがオフのとき、あるいはフレームロッドがオンでありかつ水量センサが流水を検知していないとき等が挙げられる。
【００８５】
フェイルセーフ回路３３によって元電磁弁等の動作が安全ではない状態と判別されたとき、フェイルセーフ回路３３は、その出力端に信号を出力する。フェイルセーフ回路３３からこの信号が出力されると、スイッチングトランジスタＱ３がオンし、それにともない、スイッチングトランジスタＱ２がオフする。これにより、リレーコイルＲＹに電流が流れなくなり、リレー接点ＳＷがオフになり、通常の運転モードから消費電力抑制モードに移行する。そのため、給湯装置本体１には、商用電源ＰＷが供給されなくなり、上記した元電磁弁に対する電源供給も遮断されることになる。
【００８６】
このように、フェイルセーフ回路３３によって商用電源ＰＷを遮断することができるので、結果的に、元電磁弁に対する電源供給も遮断されることになる。そのため、元電磁弁に対する電源供給を遮断するためのコモンリレーを設けなくてもよくなり、コストの低減化に寄与することができる。
【００８７】
図６は、図５に示す給湯装置本体１の電源系統における回路構成と同機能を有する、より具体的な回路構成を示す図である。図６に示す回路構成は、上述した図４に示す回路構成と略同一の構成とされ、以下、図４に示す回路構成と異なる部分について説明する。
【００８８】
フォトカプラＰＣ１３のフォトダイオードのアノード端子には、保持回路３４が接続され、保持回路３４には、フェイルセーフ回路３３が接続されている。保持回路３４は、フェイルセーフ回路３３の出力を所定期間（詳細には、フォトカプラＰＣ１３がオンする期間、すなわち、サイリスタＳをオフするのに十分な期間）保持する回路である。
【００８９】
上記構成により、フェイルセーフ回路３３によって元電磁弁等の動作が安全ではない状態と判別されたとき、フェイルセーフ回路３３は、フォトカプラＰＣ１３をオンさせるための信号を出力する。この信号は、保持回路３４によって所定期間保持され、この保持された期間、フォトカプラＰＣ１３がオンする。これにより、サイリスタＳがオフし、リレーコイルＲＹに電流が流れなくなり、リレー接点ＳＷがオフになり、通常の運転モードから消費電力抑制モードに移行する。そのため、給湯装置本体１には、商用電源ＰＷが供給されなくなり、上記した元電磁弁に対する電源供給も遮断される。
【００９０】
ところで、上記したような運転に関するエラーにおける動作モードは、エラーの程度によって区別されており、比較的重大なエラーを検出した場合に移行する動作モードを「電源リセット安全動作モード」といい、比較的軽微なエラーを検出した場合に移行する動作モードを「安全動作モード」という。そして、電源リセット安全動作モードに移行した場合には、たとえばリモコン装置２の運転スイッチ２１ａによる電源リセット安全動作モードの解除操作が不可能となって、コンセントから電源ケーブルＣを一旦抜いて再度コンセントを差し込んで商用電源ＰＷの供給を行わなければ（あるいは、漏電ブレーカ５の操作スイッチ（図示略）を操作することによって電源リセットしなければ）、この電源リセット安全動作モードが解除できないようにされている。また、安全動作モードに移行した場合には、リモコン装置２においてオンモードからオフモードにする操作によって、安全動作モードが解除可能なようにされている。
【００９１】
消費電力抑制モードにおいては、給湯装置本体１には、商用電源ＰＷが供給されないため、本体側マイコン１２には、電源供給されなくなる。そのため、たとえば消費電力抑制モードに移行する前に電源リセット安全動作モードに移行すると、消費電力抑制モードに移行した後において、電源リセット安全動作モードが継続している場合には、本体側マイコン１２でその状態を認識することができないといったことがあり、安全面で不備な状態が生じることがある。
【００９２】
そこで、本実施形態では、かかる不具合を解消するため、電源リセット安全動作モードに移行した後に、消費電力抑制モードに移行して、再度、通常モードに移行する際、電源リセット安全動作モードに移行している旨を報知するようにしている。
【００９３】
具体的には、本体側マイコン１２は、電源リセット安全動作モードに移行したことを検知した場合、その旨と、その時点における運転スイッチ２１ａがオンされているか否かを、履歴情報としてＥＥＰＲＯＭ１３に記憶させる。その後、たとえばリモコン装置２の操作部２１における操作が一定時間されないとき、本体側マイコン１２は、消費電力抑制モードに移行する。すなわち、自己保持回路３２（図３または図５参照）に対して保持状態を禁止する禁止信号を与えることにより、リレー接点ＳＷをオフさせ、商用電源ＰＷの供給を遮断する。
【００９４】
次いで、消費電力抑制モードから通常モードに復帰した場合、本体側マイコン１２は、再度立ち上げられ、ＥＥＰＲＯＭ１３から、消費電力抑制モードに移行されたときの運転スイッチ２１ａのオン、オフの状態を読み出す。
【００９５】
本体側マイコン１２は、消費電力抑制モードに移行されたときの運転スイッチ２１ａの状態がオンのとき、自己による制御によって通常運転モードから消費電力抑制モードに移行したと判断する。そして、ＥＥＰＲＯＭ１３から電源リセット安全動作モードに移行した旨を読み出し、それをリモコン側マイコン１５に伝達する。これに応じて、リモコン側マイコン１５では、電源リセット安全動作モードに移行した旨を表示部２２に表示する。
【００９６】
一方、本体側マイコン１２は、消費電力抑制モードに移行されたときの運転スイッチ２１ａの状態がオフのとき、自己による制御によって通常運転モードから消費電力抑制モードに移行したのではなく、ユーザが電源リセット安全動作モードに移行したことを把握し、ユーザによってコンセントを抜き差しした後に、消費電力抑制モードに移行されたと判別する。すなわち、そのときの運転スイッチ２１ａの状態がオフであれば、ユーザによるコンセントの抜き差し操作により、商用電源ＰＷの供給が遮断され、再度商用電源ＰＷが供給されたと認識することができるからである。
【００９７】
この場合、本体側マイコン１２は、上記のとおり、ユーザによるコンセントの抜き差しによって電源リセット安全動作モードが解除されたと判別するので、リモコン装置２には、電源リセット安全動作モードに移行した旨の表示を行わせる指示を伝達することはしない。
【００９８】
上記の制御処理により、消費電力抑制モードへの移行前後において、コンセントの抜き差しが必要なほど過度の異常が発生している電源リセット安全動作モードに移行したことが消失してしまうことがない。したがって、ユーザは、消費電力抑制モードから再度電源を供給するようにした場合でも、給湯装置本体１の運転状態が電源リセット安全動作モードに移行していることを把握することができ、コンセントを抜き差しする等の処置を行うことができる。したがって、安全性がより向上された給湯装置を提供することができる。
【００９９】
なお、上記実施形態においては、電源リセット安全動作モードに移行した後に、消費電力抑制モードに移行して、再度、通常モードに移行する際、電源リセット安全動作モードに移行している旨を報知するようにしたが、他の実施形態として、安全動作モードや電源リセット安全動作モードに移行したときに、即座にリレー接点ＳＷをオフにして給湯装置本体１を安全状態に移行させるようにしてもよい。
【０１００】
また、安全動作モードや電源リセット安全動作モードに移行したときに、即座にリレー接点ＳＷをオフにすると、ユーザは、なぜ、給湯装置本体１が安全状態に移行したのかを知ることができないため、リモコン装置２の表示部２２に、異常が生じたことを表示するようにしてもよい。この場合、リモコン装置２の表示部２２は、リレー接点ＳＷがオフされているとき、充電用コンデンサＣ１（図４または図６の構成の場合は充電用コンデンサＣ１４）による充電電荷によって動作することができる。
【０１０１】
また、安全動作モードや電源リセット安全動作モードに移行したときに、リレー接点ＳＷをオフにすると、本体側マイコン１２はリセットされるため、その後、ユーザが運転スイッチ２１ａを操作したり、電源コンセントを抜き差ししたりしてリレー接点ＳＷがオンされたときに、本体側マイコン１２は、リレー接点ＳＷがオフされる前の状態を認識することができない。そのため、安全動作モードや電源リセット安全動作モードに移行したときに、リレー接点ＳＷがオフされる際、リレー接点ＳＷオフ前に、本体側マイコン１２が異常の旨をＥＥＰＲＯＭ１３に記憶させ、リレー接点ＳＷがオンされたときに、ＥＥＰＲＯＭ１３の記憶内容に基づいてリレー接点ＳＷオフ前の異常を報知したり、リレー接点ＳＷのオフ前の安全動作状態を維持したりするようにしてもよい。特に、リレー接点ＳＷオフ前に電源リセット安全動作モードであった場合のみ、リレー接点ＳＷがオンされた後、電源リセット安全動作モードを再開、維持するようにしてもよい。
【０１０２】
もちろん、この発明の範囲は上述した実施の形態に限定されるものではない。たとえば、異常を検知したときには、異常の程度に応じてリレー接点ＳＷをオフするかどうかを判断するようにしてもよい。また、リレー接点ＳＷをオフする前に、ＥＥＰＲＯＭ１３に異常が生じた旨を記憶する場合には、リレー接点ＳＷがオフされたときに充電電荷による異常報知は行わず、リレー接点ＳＷがオンした後に、異常報知を行うようにしてもよい。さらに、リレー接点ＳＷをオフする前に、ＥＥＰＲＯＭ１３に異常が生じた旨を記憶する場合には、リレー接点ＳＷがオンした後に、そのリレー接点ＳＷをオフする前に異常が検知されていた旨の報知のみを行い、安全動作モードあるいは電源リセット安全動作モードは解除するようにしてもよい。これは、異常を検知することにより、リレー接点ＳＷが一旦オフにされたのであるから、本体側マイコン１２はリセットされており、その後、リレー接点ＳＷがオンされたときには、電源リセット安全動作モードを継続する必要がないという考え方に基づく場合の仕様である。
【０１０３】
また、給湯装置本体１に接続されるリモコン装置２の数は、実施形態に限定されるものではない。また、給湯装置本体１が備える燃焼ユニット１０の燃料は、ガス、石油等適宜設計変更可能である。また、この実施形態では、燃焼ユニット１０に代えて、その他の熱源器を備えた給湯装置（たとえば、ガスや二酸化炭素を用いるヒートポンプ給湯装置）にも適用可能である。また、この実施形態における給湯装置は、一般給湯機能、風呂注湯機能、風呂追い焚き機能、または温水暖房機能等のうち、少なくとも一つの機能を備えた給湯装置に適用することができる。
【０１０４】
【発明の効果】
本願発明によれば、給湯装置本体および／または遠隔操作装置における異常を検出した場合、たとえば電源スイッチ手段を開成動作させて元電源を阻止するので、たとえば、上記異常によってユーザにとって安全面で不適切な運転状態が生じた場合に、元電源の遮断動作が安全動作によるものと認識して、その運転状態を回避することができる。
【図面の簡単な説明】
【図１】本願発明に係る給湯装置を示す概略構成図である。
【図２】図１に示すリモコン装置の正面図である。
【図３】給湯装置本体およびリモコン装置の電源系統における回路構成の第１の実施形態を示す図である。
【図４】図３に示す給湯装置本体およびリモコン装置の電源系統における回路構成の変形例を示す図である。
【図５】給湯装置本体およびリモコン装置の電源系統における回路構成の第２の実施形態を示す図である。
【図６】図５に示す給湯装置本体およびリモコン装置の電源系統における回路構成の変形例を示す図である。
【符号の説明】
１    給湯装置本体
２    リモコン装置
１２    本体側マイコン
１３    ＥＥＰＲＯＭ
１５    リモコン側マイコン
２１ａ  運転スイッチ
３１    電流検知回路
３２    自己保持回路
３３    フェイルセーフ回路
Ｃ１    充電用コンデンサ
ＳＷ    接点リレー
【図１】
2004190926.tif 000003
【図２】
2004190926.tif 000004
【図３】
2004190926.tif 000005
【図４】
2004190926.tif 000006
【図５】
2004190926.tif 000007
【図６】
2004190926.tif 000008